(57)【要約】　　　（修正有）【課題】キーの紛失を防ぎ、盗難を防ぎ、他の鞄を一緒にワイヤで吊るして運搬できるようにしたスーツケースを提供する。【解決手段】ヒンジ部から前方部に向かって身側ケース１Ａと蓋側ケース１Ｂを開閉するためのジッパー４が延び、身側ケース１Ａの上面部に、把手２が備えられている。把手２から肩口部にかけて、ハンドル３を、伸縮自在に収納するハンドルケースＨが構成される。このハンドルケースＨの内には、ワイヤ錠を装着した。スーツケース本体１の底には、キャスター５を備え、ハンドル３を持ち上げ、この把手を掴んで引っ張り走行するものである。【選択図】　　　図１
0003098384.tif 000002
【実用新案登録請求の範囲】
【請求項１】
ハンドルケース内にワイヤ錠を装着したスーツケースであって、前記ワイヤ錠のワイヤの端部を上記ハンドルケース内に係止するとともに、ワイヤの他方の端部を上記ハンドルケースの外に引き出してなることを特徴とするスーツケース。
【請求項２】
前記ワイヤ錠のワイヤの他方の端部を着脱可能にしてなることを特徴とする請求項１記載のスーツケース。
【請求項３】
前記ハンドルケースには、上記ワイヤ錠からワイヤを上記ハンドルケースの外に引き出すための引出口とともに、上記ワイヤの他方の端部を係止するための差込口を設け、そして、上記ワイヤを出入可能にするワイヤ操作口と上記ワイヤの他方の端部を挿脱可能にする開錠口を設けたことを特徴とする請求項１記載のスーツケース。
【考案の詳細な説明】
【０００１】
【考案の属する技術分野】
この考案は、盗難防止および他の小荷物と一緒に運搬する機能を兼ね備えたスーツケースを提供することを目的とする。詳しくは、スーツケース本体のハンドルケース内にワイヤ錠を装着して、スーツケース本体の収納部と施錠部とを結合、一体化することによって、キーの紛失を防ぎ、そして、ワイヤで収納部を施錠するとともに、ワイヤでスーツケース本体を柱状固定物に繋留して盗難を防ぎ、また、アウトハンガーと称して、他の鞄等の小荷物を一緒にワイヤで吊るして運搬できるようにしたスーツケースを提供する。
【０００２】
【従来の技術】
旅行用のスーツケースは、通常、運搬途中に過って蓋が開くのを防止するため、あるいは、スーツケース本体の中の荷物が盗難に遭うのを防ぐために施錠する。この種のスーツケースは容易に持ち運びできる重量と構造からなっている。また、最近では、持ち運びが楽なように、キャスター付きのスーツケースが多く見られる。この様な状況のため、スーツケースの中の荷物はもとより、スーツケース本体もろとも、盗難の対象になり易いのが現状である。
【０００３】
一方、スーツケースに取り付けられている錠は、南京錠に代表されるように、施錠、開錠する都度、キー穴にキーを差し込んで回すことによって、錠のロック部材を係、脱位置に変位させる方式が一般的である。あるいは、キー操作に代えて、施錠機構を構成する回転部材またはスライド部材を操作して、刻印されたダ゛イヤルの数字を合わせることにより、施錠、開錠できる様に構成されている。また、最近では、電子ロックと称される非接触式の施錠機構を備えたスーツケースが多く見られる。
【０００４】
【考案が解決しようとする課題】
しかしながら、これらの施錠手段には、一長一短がある。キーをキー穴に差し込んで廻す操作は面倒である。そして、差し込んだキーを抜き取り忘れることも稀ではない。さらには、抜き取ったキーの保管場所を忘れ、開錠できないこともある。また、スーツケースを施錠し、用足しのため仮置きしたまま、その場を離れた際に、スーツケースもろとも持ち去られることもある。また、電子ロックの場合は、ＩＤカード等の無線キーの保管場所を忘れたり、紛失することもあり問題があった。
【０００５】
本考案は、上記事情に鑑みて、スーツケース本体のハンドルケース内にワイヤ錠を装着することにより、スーツケース本体の収納部と施錠部とを結合、一体化するものである。このことによって、キーの紛失を防ぎ、そして、ワイヤで収納部を施錠するとともに、ワイヤでスーツケース本体を柱状固定物に繋留して盗難を防ぎ、また、他の小荷物を一緒に運搬する機能を備えたスーツケースを提供することを目的とする。即ち、以下のような、盗難防止と運搬の機能を兼ね備えたスーツケースを提供する。
（１）　収納部のジッパーを施錠し、開くことができないようにして、盗難から中の荷物を守る。
（２）　スーツケースを仮置きしてその場を離れる際は、傍のフェンス、柱、柵あるいは、持ち運びできない重量物等の柱状固定物に、スーツケースを繋留することにより盗難から守る。
（３）　アウトハンガーと称して、他の荷物と一緒に吊るして一度に運搬する。
【０００６】
【課題を解決するための手段】
上記目的を達成するために、請求項１の考案は、ハンドルケース内にワイヤ錠を装着したスーツケースであって、前記ワイヤ錠のワイヤの端部を上記ハンドルケース内に係止するとともに、ワイヤの他方の端部を上記ハンドルケースの外に引き出してなることを特徴とするスーツケースである。
【０００７】
また、請求項２の考案は、請求項１の考案の上記特徴に加えて、前記ワイヤ錠のワイヤの他方の端部を着脱可能にしてなるスーツケースである。
【０００８】
請求項３の考案は、請求項１の考案の上記特徴に加えて、前記ハンドルケースには、上記ワイヤ錠からワイヤを上記ハンドルケースの外に引き出すための引出口とともに、上記ワイヤの他方の端部を係止するための差込口を設け、そして、上記ワイヤを出入可能にするワイヤ操作口と上記ワイヤの他方の端部を挿脱可能にする開錠口から構成されるものである。
【０００９】
【考案の実施の形態】
本考案の実施の形態を、添付図面に示した本考案の実施例に基づいて以下に具体的に説明する。
【００１０】
先ず、本考案の実施例について、図１〜図３を参照しながら説明する。図１は、キャスター付きのスーツケースである。本図に示したスーツケース本体１は、ＡＢＳ強化樹脂製等で収納部を形成するハードケースタイプの例である。スーツケース本体１の奥側のヒンジ部（図示なし）を介して、収納部の深さ方向で、身側ケース１Ａと蓋側ケース１Ｂとの二つ割状に開口される構造である。そして、ヒンジ部から前方部に向かって身側ケース１Ａと蓋側ケース１Ｂを開閉するためのジッパー４が延びている。また、ジッパー４に沿って蓋側ケース１Ａの上面部に、把手２が備えられている。そして、身側ケース１Ａ側で、把手２から肩口部にかけて、ハンドル３を、伸縮自在に収納するハンドルケースＨが構成される。また、このハンドルケースＨの内には、従来公知の施錠機構であるワイヤ錠Ｋを装着したものである。ここで、ハンドルケースＨは、スーツケースの規格部品を採用したもので、中はハンドル３が縦長に入っているだけでスペースの余裕がある。そこで、そのスペースにワイヤ錠Ｋを組み込んだものである。その他、スーツケース本体１の底には、キャスター５を備える。そして、スーツケース本体１を持ち運ぶ際は、ハンドル３を持ち上げ、この把手を掴んで引っ張り走行するものである。
【００１１】
図２は、本実施例を構成する施錠機構の説明図である。本実施例のワイヤ錠Ｋは、上記したように従来公知の機構を有する。施錠機構は、ダイヤル盤１１、ワイヤ１２、ゼンマイ固着軸１３、ゼンマイ１４、ワイヤ１２を巻き戻すための力を蓄えた巻取りドラム１５等から構成されている。ここで、ダイヤル盤１１は、特定の数字を合わせると施錠、開錠されるものであり、ワイヤ１２はスーツケース本体１のジッパー４を閉じ、スーツケース本体１を施錠しておくための紐状のものである。ゼンマイ１４は、巻取りドラム１５の中に装着され、引き出したワイヤ１２を巻き戻す力となる。巻取りドラム１５の外周には、ラチェット爪１６Ｃと係合するラチェット車１５Ｂの爪が形成されている。このゼンマイ１４は、ワイヤ１２を巻きつけた巻取りドラム１５を巻取り方向に付勢する作用をする。詳しくは、ワイヤ１２の先端がゼンマイ固定軸１３に固着されており、そして、巻取りドラム１５の中側にゼンマイ１４の他端が押し付け付勢された構造である。このため、巻取りドラム１５とラチェット爪１６Ｃとの係合が解除される間、ゼンマイ１４の復元力によって、巻取りドラム１５が逆回転し、ワイヤ１２が巻き戻される。その他、施錠機構は、トリガー１６、開錠ボタン１７等からなる。ここで、トリガー１６は、軸１６Ａを基準に回転するレバー１６Ｂとその先端に軸１６Ｄを基準にして回る継手１８、また、この先端にワイヤロック板１９から構成されている。
【００１２】
次に、上記したワイヤ錠Ｋの作用を説明する。トリガー１６をワイヤ錠Ｋの中側方向へ押すことにより、軸１６Ａを支点としてレバー１６Ｂが上側へ引き上げられる。その時、ワイヤロック板１９の角度が変わってワイヤのロック状態が解除されるので、ワイヤ１２がワイヤ受け２０の孔を自由に通り抜ける。ついで、ワイヤ１２を上へ引っ張ることにより、巻取りドラム１５の外周に幾重にも巻かれているワイヤ１２が外に長く引き出される。また、トリガー１６をワイヤ錠Ｋの中側方向へ押している間、ラチェット車１５Ｂとラチェット爪１６Ｃとの係合が解除されるので、ゼンマイ１４の復元力によって巻取りドラム１５が逆回転し、外に引き出されたワイヤ１２が巻き戻され、巻取りドラム１５の外周に巻き取られる。
【００１３】
ついで、引き出したワイヤ１２の先端のワイヤヘッド１２Ａを差込孔２２に挿入する。このようにして、ワイヤ１２は、スーツケース本体１のハンドケースＨ内のワイヤ錠Ｋに係止されることになる。ワイヤ１２の係止を解除する場合は、開錠ボタン１７をワイヤ錠Ｋの中側へ押す。これにより、ワイヤヘッド１２Ａが差込孔２２から脱離される。
【００１４】
つぎに、ハンドルケースＨ内に装着したワイヤ錠Ｋの使い方について、図３を参照しながら説明する。スーツケース本体１の身側ケース１Ａの上面からの肩口部にかけてハンドルケースＨを設け、その内側にワイヤ錠Ｋを装着する。そして、ハンドルケースＨには、ワイヤ錠Ｋを外から操作するために、開錠口２７およびワイヤ操作口２８を設ける。そして、ワイヤ操作口２８に指を差しこんでトリガー１６をワイヤ錠Ｋの中側へ押すことにより、ワイヤロック板１９が解除されるので、引出口２５を介してワイヤ１２を外へ長く引き出すことができる。
【００１５】
一方、ジッパー４が閉じ寄せられ、両側のジッパーがぶつかった箇所に、スライダー６の先端部に備えたリングが交互に絡み合う輪状のワイヤ通孔７が形成される。このワイヤ通孔７の中へ、ワイヤヘッド１２Ａを貫通させる。ワイヤヘッド１２Ａがワイヤ通孔７を貫通することで、ジッパー４が施錠されることになる。次に、ワイヤヘッド１２Ａをワイヤ差込口２６の中の差込孔２２に挿入、係止させる。そして、最後に、ダイヤル盤１１の数字を設定する。これで、施錠操作を完了する。本実施例では、数字ダイヤル式の錠を使って説明したが、他の形式の錠でもよい。
【００１６】
スーツケースは、ジッパー４が施錠されることで、中の荷物を取り出せず、盗難から守ることができる。また、場合によっては、スーツケースを仮置きする傍のフェンス、ベンチの脚、柵あるいは、持ち運びできない重量物等の柱状固定物にまでワイヤ１２を延長して括り付け、繋留する使い方もある。本人が、ダイヤルの数字を合わせない限り、ワイヤ錠Ｋを開錠して、柱状固定物からワイヤを外すことは不可能なので、スーツケースごと持ち去ることができない。あるいは、盗難防止とは別の使い方ができる。即ち、他の荷物と一緒にワイヤで吊るして一度に運ぶというような便利な使い方もできる。以上のような使い方ができるように、ワイヤは長い方がよい。
【００１７】
図４は、他の実施例に係るスーツケースの斜視図である。本図に示したスーツケース本体１は、軽量強化ポリエステル樹脂製等で収納部を形成するソフトケースタイプの例である。本実施例の第一実施例と異なるところは、スーツケースのジッパーの位置が、収納部深さの中心ではなく、蓋側ケース１Ｂ端に近いところにある。上記実施例と同様に、ワイヤ錠ＫをハンドルケースＨ内に装着する。また、ワイヤをこのハンドルケースＨの外に引き出すための引出口と、上記ワイヤの他方の端部を係止するための差込口を設け、そして、上記ワイヤを出入可能にするワイヤ操作口とワイヤの他方の端部を挿脱可能にする開錠口を設けることも上記実施例と同様である。ワイヤ錠Ｋの使い方についても同様である。
【００１８】
以上の実施例は、請求項３に関するものであり、ワイヤをこのハンドルケースＨの外に引き出すための引出口と、上記ワイヤの他方の端部を係止するための差込口を設け、そして、上記ワイヤを出入可能にするワイヤ操作口とワイヤの他方の端部を挿脱可能にする開錠口を設ける構成にした。
【００１９】
しかしながら、必ずしも上記の構成に限らなくても勿論よい。次に、請求項１あるいは請求項２に関する実施例について説明する。引き出したワイヤの他方の端部をスーツケースに戻さない使い方もある。例えば、引き出したワイヤの他方の端部をフェンス、柱、柵あるいは、持ち運びできない重量物等の柱状固定物に、括ったり、柱状固定物に備えた特定の係止具に繋留する使い方でもよい。あるいは、引き出したワイヤの他方の端部を、クリップで止めたり、ロック機構を備えた例えば南京錠等を使って、着脱可能に柱状固定物に繋留する使い方でもよい。また、引き出したワイヤで他の荷物を一緒に吊るして、スーツケースと一緒に運ぶ使い方も可能である。
【００２０】
【考案の効果】
以上に説明したように、本考案にかかわるスーツケースによれば、スーツケース本体と錠とを結合、一体化しすることに着目したもので、スーツケースの内側にワイヤ錠を装着する構成にしたものである。その結果、収納部のジッパーをワイヤにより施錠するようにしたので、スーツケースの中の荷物を盗まれる恐れがなく、実用性の高いものである。さらに、スーツケースを仮置きする傍のフェンス、ベンチの脚、柵あるいは、持ち運びできない重量物等の柱状固定物にワイヤを括り通すことにより、スーツケースごと盗難にあうのを防止できる。また、他の荷物と一緒にワイヤで吊るして運搬することができる機能を兼ね備えている等の効果を奏するものである。
【図面の簡単な説明】
【図１】本考案の実施例に係るスーツケースの斜視図である。
【図２】本考案の実施例を構成する施錠機構の説明図である。
【図３】本考案の実施例に係る施錠機構本体をスーツケース内に装着した状態を示す説明図である。
【図４】本考案の他の実施例に係るスーツケースの斜視図である。
【符号の説明】
１　スーツケース本体
１Ａ　身側ケース
１Ｂ　蓋側ケース
２　把手
３　ハンドル
４　ジッパー
５　キャスター
６　スライダー
７　ワイヤ通孔
１１　ダイヤル盤
１２　ワイヤ
１２Ａ　ワイヤヘッド
１３　ゼンマイ固定軸
１４　ゼンマイ
１５　巻取りドラム
１５Ｂ　ラチェット車
１６　トリガー
１６Ａ　軸
１６Ｂ　レバー
１６Ｃ　ラチェット爪
１６Ｄ　軸
１７　開錠ボタン
１８　継手
１９　ワイヤロック板
２０　ワイヤ受け
２１　ワイヤガイド孔
２２　差込孔
２５　引出口
２６　差込口
２７　開錠口
２８　ワイヤ操作口
Ｈ　ハンドルケース
Ｋ　ワイヤ錠
【図１】
0003098384.tif 000003
【図２】
0003098384.tif 000004
【図３】
0003098384.tif 000005
【図４】
0003098384.tif 000006